(57)【要約】      （修正有）【課題】ルーズリーフ用紙のバインダーへの取り付け、取り外しを容易に速く行えるようにする。【解決手段】ルーズリーフ・バインダーは、バック１０と、可撓性の材料で作られ前記バックに取り付けられたバインダー２０と、前記バックの両端にそれぞれ取り付けられた２つの端部差込み３０とを備える。バックは、２つのトラックと、２つの側部スロット１４と、中央スロット１５とを有する。バインダーは、２つの端部を有する複数のオープン・リング２１を備える。各差込みは、２つの側部枝と、中央枝とを有する。バインダーのオープン・リングをノートのパンチ穴に同時に取り付けたり外したりすることによって、ルーズリーフ用紙を備えるノート５０は、ルーズリーフ・バインダーに容易に取り付けたり外したりすることができる。【選択図】図２
0003110398.tif 000002
【実用新案登録請求の範囲】
【請求項１】
ルーズリーフ・バインダーであって、バックと、バインダーと、２つの端部差込みとを含み、
前記バックは、２つの端部と、上面、底面、２つの縁部及び前記端部付近に形成された２つの貫通穴を有する背と、それぞれが前記背の両縁部で底面に形成された２つのスカートと、前記背の底面で両スカートの間に形成された２つのトラックと、それぞれが対応する前記スカートと前記トラックとの間に形成された２つの側部スロットと、両トラック間に長手方向に形成された中央スロットとを備え、２つの長手方向のリップが前記トラックに前記背と平行に形成されており、
前記バインダーは、可撓性材料で作られ、前記バックに取り付けられ、該バックに取り外し可能に取り付けられた複数のオープン・リングを備え、各オープン・リングは、２つの端部と、端部に形成された２つの平面部と、該平面部にそれぞれ隣接して形成された２つの傾斜部とを有し、
前記２つの端部差込みは、前記バックの端部にそれぞれ取り付けられ、前記バックの一端に取り付けられる差込みカバーと、該差込みカバーから伸びる中央枝とを備え、該中央枝は、頂部と、他端部と、前記差込みカバーと一体に形成された一端部と、該一端部で中央枝の頂部に形成された中央傾斜圧迫面と、前記他端部に形成され前記対応差込みカバーの方へ傾斜する傾斜解除面を有するラッチとを有し、
前記端部差込みはまた前記中央枝の相対する側部で前記差込みカバーから伸びる２つの側部枝を備え、各側部枝は、頂部と、底部と、他端部と、前記差込みカバーと一体に形成された一端部と、一端部で側部枝の頂部に形成された側部傾斜圧迫面と、前記側部枝の遠近両端の間で側部枝の底部に長手方向に形成され、前記中央枝に面する傾斜した溝とを含む、ルーズリーフ・バインダー。
【考案の詳細な説明】
【技術分野】
【０００１】
本考案はバインダー、特にルーズリーフ用紙を綴じるバインダーに関する。
【背景技術】
【０００２】
図５を参照するに、先行技術に関する従来のルーズリーフ・バインダーは、可撓性の螺旋コイルのバインダー７０である。バインダー７０は、２つの端部（無番号）を有し、ルーズリーフ用紙を有するノート６０に複数のパンチ穴６１を介して取り付けられている。バインダー７０は、その一端を通過し、連続的にルーズリーフ用紙の全てのパンチ穴６１を通過することによって、ノート６０に取り付けられる。しかし、先ずバインダー７０がノート６０の全ての貫通穴６１から完全に外されない限り、1枚のルーズリーフ用紙を破らずに取り除くことはできない。そのため、何枚かの紙をバインダーに挿入したり外したりするのは時間の浪費である。
【考案の開示】
【考案が解決しようとする課題】
【０００３】
これらの欠点を解決するため、本考案は上記諸問題を軽減または回避するルーズリーフ・バインダーを提供する。
【課題を解決するための手段】
【０００４】
本考案の主要目的は、何枚かのルーズリーフ用紙を速く容易に、手でバインダーに挿入したり、外したりできるルーズリーフ・バインダーを提供することにある。
【０００５】
本考案によるルーズリーフ・バインダーは、バックと、バインダーと２つの端部差込みとを含む。
【０００６】
バックは２つの端部と、２つの長手方向の側部スロットと、中央スロットとを有する。バインダーは、バックの側部スロット内に取り付けられた複数のオープン・リングを有する。端部差込みは、それぞれバックの両端に取り付けられている。
【０００７】
本考案の他の目的、利点及び新規な特徴は、添付の図面を参照すれば、下記の詳細な説明から明らかになろう。
【考案を実施するための最良の形態】
【０００８】
図１、２、３、４を参照するに、ルーズリーフ・バインダーは、バック１０と、バインダー２０と、２つの端部差込み３０とを含む。
【０００９】
バック１０は、背１１と、２つのスカート１２と、２つのトラック１３と、２つの側部スロット１４と、中央スロット１５と、２つの端部（無番号）とを有する。背１１は、上面（無番号）と、底面（無番号）と、２つの縁部（無番号）と、２つの貫通穴１７とを有する。２つのスカート１２は、それぞれ背１１の底面の両端部に形成されている。２つのトラック１３は、両スカート１２の間に形成されている。２つの長手方向のリップ１３１は、それぞれトラック１３上に、背１１に平行に形成されている。２つの側部スロット１４は、それぞれ対応するスカート１２とトラック１３との間に形成されている。中央スロット１５は、両トラック１３の間に長手方向に形成されている。
【００１０】
貫通穴１７は、バック１０の端部付近に形成され、中央スロット１５と連通している。
【００１１】
バインダー２０は可撓性材料で作られ、バック１０に取り付けられ、複数のオープン・リング２１を有する。各オープン・リング２１は、２つの端部（無番号）と、２つの平面部２１１と、２つの傾斜部２１２とを有する。前記２つの平面部２１１は、それぞれ各オープン・リング２１の端部に形成されている。
【００１２】
２つの傾斜部２１２は、それぞれ各オープン・リング２１の平面部２１１に隣接している。
【００１３】
前記２つの端部差込み３０は、それぞれバック１０の端部に取り付けられている。各端部差込み３０は、差込みカバー３１と、中央枝３２と、２つの側部枝３３とを有する。前記差込みカバー３１は、それぞれバック１０の端部に取り付けられている。
【００１４】
中央枝３２は、差込みカバー３１から伸び、頂部（無番号）と、他端部（無番号）と、一端部（無番号）と、中央の傾斜圧迫面３２１と、ラッチ３２２とを有する。他端部は差込みカバー３１と一体に形成されている。中央の傾斜圧迫面３２１は、他端部の中央枝３２の頂部に形成されている。
【００１５】
ラッチ３２２は、中央枝３２の他端部に形成され、対応する差込みカバー３１に向かって傾斜する傾斜解除面３２３を有する。
【００１６】
両側部枝３３は、中央枝３２の相対する側にある各差込みカバー３１から伸びている。各側部枝３３は、頂部（無番号）と、底部（無番号）と、他端部（無番号）と、一端部（無番号）と、側部傾斜圧迫面３３１と、傾斜溝３３２とを有する。一端部は、差込みカバーと一体に形成されている。側部傾斜圧迫面３３１は、一端部の側部枝３３の頂部に形成されている。傾斜した溝３３２は、各側部枝３３の一端部と他端部の間で側部枝の底部に長手方向に形成され、中央枝３２に面している。一端部は、差込みカバー３１と一体に形成されている。側部圧迫面３３１は、一端部で側部枝３１の頂部に形成されている。側部傾斜面３３１は、一端部で側部枝３３の頂部に形成されている。傾斜溝３３２は、各側部枝３３の遠近両端部の間で、側部枝の底部に長手方向に形成され、中央枝３２に面している。
【００１７】
複数のパンチ穴５１のあるルーズリーフ用紙（無番号）を備えたノート５０をルーズリーフ・バインダーに取り付けるには、バインダー２０のオープン・リング２１を全てのパンチ穴５１に同時に通す。次に、オープン・リング２１の平面部２１１がバック１０の端部から対応する側部スロット１４の中に滑りこみ、トラック１３の長手方向のリップ１３１に引っ掛けられ、平面部２１１の脱落を防止する。
【００１８】
各端部差込み３０が背１１の端部に挿入されると、各差込み３０の中央枝３２と側部枝３３とがそれぞれ中央スロット１５と両側部スロット１４とに挿入される。側部傾斜圧迫面３３１と中央傾斜圧迫面３２１とは、背１１の端部にきつく押し込まれ、端部差込み３０を背１１に保持する。両側部枝３３の傾斜溝３３２は、それぞれオープン・リング２１の両端を、両側部スロット１４内で横方向に移動しないように、かつ、長手方向の両リップ１３１から離れないように、それぞれバインダー２０の傾斜部２１２を押圧する。
【００１９】
差込みカバー３１が背１１の端部に接触すると、各端部差込み３０のラッチ３２２が、対応する貫通穴１７に係合して、端部差込み３０を背１１に積極的に保持する。
【００２０】
ルーズリーフ・バインダーをルーズリーフ用紙又はノート５０から外したり取り付けたりするとき、ラッチ３２２が対応する貫通穴１７の中に押し込まれ、端部差込み３０が背１１から抜かれる。各ラッチ３２２上の傾斜解除面３２３は、ラッチ３２２を貫通穴１７に完全に押し込まずに貫通穴１７から抜けるようにする。そのため、端部差込み３０をバック１０から容易に取り外すことができる。したがって、バック１０とノート５０とは、すぐに分離することができる。
【００２１】
バック１０は、バインダー２０から容易に滑らせて外したり嵌めたりすることができる。さらに、傾斜解除面３２３を有するラッチ３２２を備えた端部差込み３０は、背１１の端部から手で容易に分離することができる。そのため、ルーズリーフ用紙又はノートは、速くルーズリーフ・バインダーから外したり嵌めたりできるので、時間を節約できる。
【００２２】
本考案の多くの特徴及び利点を、本考案の構造及び機能の詳細と共に上述したが、この開示は例として挙げたに過ぎず、細部、特に形状、寸法、部品の配置に関しては、添付の請求項の用語の一般的な広い意味の範囲内において、本考案の原理内で変更することができる。
【図面の簡単な説明】
【００２３】
【図１】本考案に係るルーズリーフ・バインダーの斜視図。
【図２】図１のルーズリーフ・バインダーの分解斜視図。
【図３】図１の線３−３に沿ったルーズリーフ・バインダーの拡大横断面端面図。
【図４】図１のルーズリーフ・バインダーの拡大横断面正面図。
【図５】従来のルーズリーフ・バインダーの分解斜視図。
【符号の説明】
【００２４】
１０    バック
１１    背
１２    スカート
１４    側部スロット
１５    中央スロット
１７    貫通穴
２０    バインダー
２１    オープン・リング
３０    端部差込み
３２    中央枝
５０    ノート
【図１】
0003110398.tif 000003
【図２】
0003110398.tif 000004
【図３】
0003110398.tif 000005
【図４】
0003110398.tif 000006
【図５】
0003110398.tif 000007